(57)【要約】【課題】窓枠内装材のプレカット発注において、現場での採寸やカット寸法の手計算を不要にして、プレカット発注処理の容易化、迅速化、高信頼化を図る。【解決手段】窓枠開口やサッシの採寸の代わりに、建築図面上で窓開口のサイズを表わすのに用いられる「窓呼称」のデータを入力して窓枠サイズを計算するようにした。発注元端末１からサッシ種別データ、窓枠仕様データとともに窓呼称データを入力し、サッシ種別データとサッシ規格を対応付けるサッシ規格データベース８と、窓枠内装材の仕様と窓枠内装材の種別・規格を対応付ける窓枠内装材規格データベース９を参照して、窓枠内装材のプレカット加工に必要な規格やサイズを決定する。【選択図】  図１
2005004485.tif 000002
【特許請求の範囲】
【請求項１】
受発注する窓枠内装材をサッシに合わせてプレカットするための加工寸法計算処理を計算機により行なう窓枠内装材プレカット受発注処理方法であって、
サッシの種別のデータと建築図面上で窓開口部のサイズを示すために用いられる窓呼称のデータを入力し、入力された窓呼称のデータを窓枠サイズに変換し、また予め記憶されているサッシ規格のデータベースを参照して、入力されたサッシの種別に対応するサッシの規格を求め、得られた窓枠サイズとサッシ規格とに基づいて窓枠内装材のプレカット加工寸法を計算することを特徴とする窓枠内装材プレカット受発注処理方法。
【請求項２】
窓呼称のデータは、建物設計住宅ＣＡＤデータから取り込むことを特徴とする請求項１に記載の窓枠内装材プレカット受発注処理方法。
【請求項３】
計算された窓枠内装材のプレカット加工寸法から、プレカットされた窓枠内装材の価格を計算することを特徴とする請求項１に記載の窓枠内装材プレカット受発注処理方法。
【請求項４】
サッシ種別のデータと窓呼称のデータを入力させる入力処理部と、サッシ種別とサッシ規格を対応づけるサッシ規格データベースと、入力されたサッシ種別によりサッシ規格データベースを参照して、サッシ種別に対応するサッシ規格を求めるサッシ規格選択処理部と、入力された窓呼称データから窓枠サイズを求める窓枠サイズ変換処理部と、求められたサッシ規格と窓枠サイズに基づいて窓枠内装材のプレカット加工寸法を計算する窓枠仕様・内装材規格選択処理部とを少なくとも含む窓枠プレカット処理部を有することを特徴とする受発注処理装置。
【請求項５】
計算された窓枠内装材のプレカット加工寸法から、プレカットされた窓枠内装材の価格を計算する見積作成処理部を備えていることを特徴とする請求項４に記載の受発注処理装置。
【発明の詳細な説明】
【０００１】
【発明の属する技術分野】
本発明は、住宅等のサッシを嵌め込む窓枠内装材（額縁）のプレカット受発注に必要な加工寸法を容易に算出してプレカットされた窓枠内装材の見積作成を含む受発注処理が可能な窓枠内装材プレカット受発注処理方法と、受発注処理装置に関する。本発明は、窓枠内装材の現場での採寸やカット作業を不要にすることにより、的確、迅速で無駄のない窓枠施工を可能にする。
【０００２】
【従来の技術】
住宅等でサッシ窓を施工する場合、まずサッシを三方あるいは四方から囲むように窓枠を作り、その窓枠にサッシを嵌め込む構造が取られる。窓枠は、三方枠か四方枠かにしたがって３枚あるいは４枚の板状の内装材からなる。各内装材は、それぞれサッシと窓枠の仕様およびサイズにしたがってカット加工され、枠に組み立てられる。たとえば、窓枠内装材の規格サイズが必要サイズよりも大きい場合は、不要部分をカットして短くしなければならない。そのほか、内装材の種類や、縦、横の内装材を接合する枠納めのタイプ、あるいはサッシの仕様や窓枠に嵌め込む形式により、カットの仕方が変わってくる。
【０００３】
図４ないし図６に、窓枠プレカット加工の具体例を説明する。図４の（ａ），（ｂ），（ｃ）は、標準的な窓枠内装材の断面形状例を示す。図４中、太線で示される面が化粧面である。また図５の（ａ），（ｂ）は、窓枠の縦、横の内装材を接合する枠納めの代表的な例である。図６の（ａ），（ｂ），（ｃ）は窓枠プレカット加工の例を示す。図６の（ａ）は窓枠施工の例であり、四方枠タイプの窓枠７０を部屋側から見たものである。内装材の断面形状は図４の（ａ）のものであり、枠納めは図５の（ａ）のタイプを用いている。窓枠７０の外側には、サッシ７１が嵌め込まれている。窓枠７０のサイズは、縦、横、幅で与えられるが、図示の例の場合、枠を構成する４枚の各内装材の基本的なサイズは、窓枠サイズによって自ずと決まってくる。つまり、縦の２枚の内装材の長さ方向のサイズは、窓枠７０の縦サイズに一致し、また横の２枚の内装材の長さ方向のサイズは、窓枠７０の横サイズから２枚分の内装材の厚さを差し引いたものとなる。各内装材の長さ方向のプレカットでは、長尺ものの内装材からこれらのサイズを切り出せばよい。
【０００４】
図６の（ａ）の窓枠７０の例では、各内装材の幅方向のサイズは、図６の（ｂ）の断面図から明らかなように、窓枠７０の幅サイズと一致する。したがって、内装材の幅方向のプレカットは、窓枠の幅サイズに基づいて行なえばよい。一方、窓枠７０には、サッシ７１を嵌め込むための段状の嵌合部７２が必要である。結局、窓枠内装材のプレカットでは、上述した長さ方向のプレカットのほかに、図６の（ｃ）に示すように、幅広の規格サイズ７４をもつ規格品の窓枠内装材７３に対しては、カット部分７５で示す幅方向のプレカットとともに、カット部分７６で示す段状のプレカットを行なう必要があり、カット部分７６の位置と寸法を、サッシの仕様にしたがって計算しなければならない。
【０００５】
従来の窓枠施工方法では、現場作業者が、窓枠の仕様や寸法と、使用されるメーカーのサッシの仕様や寸法とに応じて、必要な窓枠内装材の加工寸法を手計算し、その計算結果にしたがって窓枠内装材を現場でカットするか、内装材メーカーへプレカット発注を行なっているのが一般的であった。そのため、サッシ種別（サッシメーカー別、サッシシリーズ別）や内装材の仕様ごとに複雑なカット寸法の計算をする必要があり、１棟分の窓枠全部について内装材のプレカット発注を行なうには、多くの計算をこなさなくてはならず、かなりの手間と時間を要していた。
【０００６】
従来、内装材メーカーが顧客から窓枠内装材のプレカット受注をする際に必要としていたデータ項目の例を次に示す。
ａ．窓枠内装材の材種（ソフトアート、チェルードなど）とカラー（ＮＮ，ＣＢ，ＤＢなど）
ｂ．窓枠の種類（断面形状）と枠納め、枠タイプ（三方か、四方か）
ｃ．窓枠の幅
ｄ．サッシメーカー名とサッシの種類（製品シリーズ名）
ｅ．窓のサイズ
ｆ．窓の位置、数量
内装材メーカーでは、これらのデータ項目に基づいて、窓ごとに使用する窓枠内装材の種類、規格、数量、カット寸法を求めて、見積データを作成していた。
【０００７】
【発明が解決しようとする課題】
従来の窓枠内装材のプレカット発注作業では、現場作業者が、１棟の各窓について、サッシメーカー別、サッシシリーズ別などのサッシ種別とサイズ、および窓枠仕様を調べて、採寸やカット寸法の計算を行なう必要があるため、窓枠内装材をプレカット発注するのに現場作業者が要する負担と時間は多大なものであった。また現場での採寸ミスや計算ミスが起きやすく、その結果は発注ミスとなって、内装材の無駄が発生し、ひいては工数の増大と納期の遅延を招いていた。そのため、窓枠内装材のプレカット発注処理の一層の容易化と迅速化を図る必要があった。
【０００８】
本発明の課題は、窓枠内装材のプレカット発注に際して、現場での採寸やカット寸法の手計算のような非効率な作業を不要にして、プレカット発注処理の容易化、迅速化および高信頼化を可能にする有効な解決手段を提供することにある。
【０００９】
【課題を解決するための手段】
本発明は、窓枠内装材のプレカット発注において採寸やカット寸法の手計算のような非効率な作業を不要にするため、一般に建築図面上で窓開口のサイズを表わすのに用いられている「窓呼称」のデータで代替するものである。「窓呼称」は、窓開口の縦サイズと横サイズをそれぞれ２桁ずつで簡略化表示したものを合わせて、全体で４桁の数字で構成される。単位は「尺」または「メートル」を指定できる。たとえば、尺単位の窓呼称〔３０６０〕ならば、３尺×６尺、または１尺＝３００ｍｍとして、９００ｍｍ×１８００ｍｍとなる。またメートル単位の窓呼称〔１８１８〕の例ならば、１８００ｍｍ×１８００ｍｍとなる。
【００１０】
窓枠施工時において「窓呼称」のデータは既知であるから、窓枠内装材をプレカット発注する際に、建築図面から各窓の「窓呼称」データを取り込んで、窓枠仕様とともに受発注処理システムへ送り、受発注処理システムに、窓枠内装材のプレカット寸法を自動計算させて受発注処理させることが可能である。
【００１１】
図１は、本発明による窓枠内装材のプレカット受発注が可能な受発注処理装置の概要構成を例示的に示したものである。図中、１は、施工業者などの窓枠内装材をする側の発注元端末、２はコンピュータ間通信を可能にするネットワーク、３は建材メーカーなどの受注側に置かれたプレカット受発注が可能な受発注処理装置、４は窓枠内装材の受発注処理を実行するプログラム機能の窓枠プレカット処理部、５、６，７はそれぞれ発注元端末１から入力されたサッシ種別データ、窓枠仕様データ、窓呼称データ、８はサッシ種別データとサッシ規格を対応付けるデータを格納したサッシ規格データベース、９は窓枠内装材の仕様と窓枠内装材の種別・規格を対応付けるデータを格納した窓枠内装材規格データベース、１０は入力されたサッシ種別に対応するサッシ規格を選択するサッシ規格選択処理部、１１は入力された窓枠仕様に適合する窓枠内装材の規格やプレカット方法などのデータを選択する窓枠仕様・内装材規格選択処理部、１２は窓呼称データを窓枠の縦・横サイズに変換する窓枠サイズ変換処理部、１３はサッシ規格や窓枠仕様・内装材規格および窓枠サイズの各データを用いて窓枠内装材のプレカット寸法を求める窓枠内装材プレカット寸法計算処理部、１４はプレカットされたときの窓枠内装材の容積から価格を算出して見積データを作成する見積作成処理部、１５は見積に基づく受発注処理を行なう受発注処理部である。
【００１２】
次に、図１の受発注処理装置における処理の流れを説明する。
（１）  受発注処理装置３は、発注元端末１から窓枠内装材のプレカット発注（見積）依頼があると、窓枠プレカット処理部４を起動して対話形式により窓枠内装材のプレカット寸法算出を行なわせる。
（２）  まずサッシ規格選択処理部１０は、発注元端末１からメーカー名、シリーズ名などのサッシ種別データ５を入力させ、そのサッシ種別データ５によりサッシ規格データベース８を参照して、対応するサッシ製品の規格を取り出す。
（３）  次に、窓枠仕様・内装材規格選択処理部１１は、発注元端末１から窓枠の種類、カラー、枠納まり、幅などの窓枠仕様データ６を入力させ、窓枠内装材規格データベース９を参照して適合する規格の窓枠内装材を選択する。
（４）  次に、窓枠サイズ変換処理部１２は、発注元端末１から窓呼称データ７を入力させ、それを窓枠の縦・横サイズに変換する。
（５）  ここで窓枠内装材プレカット寸法計算処理部１３は、（２）〜（４）で得られたサッシの規格データ、窓枠仕様データ、窓枠内装材の規格データ、窓枠サイズに基づいて、個々の窓枠内装材のプレカット寸法を計算する。
（６）  次に見積作成処理部１４は、計算結果の窓枠内装材のプレカット寸法により個々の窓枠内装材の材料容積（材積）を算出してその材積分の価格を求め、さらに在庫と納期を確認して見積データを作成し、発注元端末１へ提示する。
（７）  受発注処理部１５は、発注元端末１から見積データに基づく発注依頼があったことを確認すると、受注を決定し、見積データを受注データとして納期を管理するとともに、受注した窓枠内装材のうちプレカットが必要なものについては、加工工場などへプレカット加工の指示を出す。
【００１３】
【発明の実施の形態】
以下に、本発明による窓枠内装材のプレカット受発注が可能な処理装置の好適な実施例について図２、図３を用いて説明する。図２は、本発明の１実施例による受発注処理装置の処理説明図であり、装置内で窓枠受発注処理を行なうプログラムの処理と処理に関わるデータの流れを示している。図３は、同じ実施例の受発注処理装置のハードウエア構成図であり、ハードウエア構成と図２中のプログラムおよびデータの位置を示している。
【００１４】
図２において、２１は建材の受発注処理に特化されている顧客用の専用端末、２２はネットワーク、２３は建材一般の受発注処理を行なうサーバー機能をもつ受発注処理装置であるが、簡単化のため、窓枠内装材の受発注に関連して必要となる要素以外のものは図示を省略してある。３０は受発注処理装置２３において窓枠内装材についての受発注処理を行なう窓枠受発注処理プログラムであり、３１〜３８は窓枠受発注処理プログラム３０の要素の処理機能を示す。３１は専用端末２１との対話により窓枠仕様を確定するための窓枠形状確認処理、３２は専用端末２１との対話によりサッシ仕様を確定するためのサッシメーカー・シリーズ選択処理、３３は専用端末２１から窓呼称を画面入力させて窓枠サイズを決定する窓呼称入力処理、３４は窓枠仕様とサッシ仕様と窓枠サイズから窓枠内装材のプレカット寸法を計算する内装材プレカット寸法計算処理、３５は窓枠内装材のプレカット寸法から窓枠内装材の材積を出し、見積価格を算出する窓枠価格計算処理、３６は見積を依頼された窓枠のプレカット内装材を含む全ての内装材について見積価格を出すとともに、在庫および納期をチェックして見積データを作成し、専用端末２１へ提示する見積作成処理、３７は専用端末２１へ提示した見積データに対して発注応答があったときその受注を確定する受発注処理、３８は受注した窓枠内装材のうちプレカットが必要な内装材について加工先へ加工データを送り、加工指示を行なう窓枠加工指示処理である。４０は窓枠受発注処理プログラム３０の処理に用いられるデータであり、４１は顧客に窓枠内装材種別を選択可能にするための窓枠内装材の樹種および色データを含む窓枠内装材データファイル、４２は顧客にサッシ種別を選択可能にするためのサッシメーカー名とシリーズ名を含むサッシデータファイル、４３は窓枠を構成する各内装材について計算されたプレカット寸法のデータを保持する内装材プレカット寸法データファイル、４４は窓枠内装材を含む各取り扱い商品を品番と在庫数量等で管理する在庫データファイル、４５は受注データと納期、納品先などを管理する受注データファイル、４６は受注データのうちのプレカット受注した窓枠内装材についてプレカット加工を管理するための窓枠加工データファイルである。
【００１５】
図２に示した受発注処理装置の実施例のハードウエア構成を図３により説明する。図３に示すハードウエア構成は、一般のコンピュータに用いられているのもと同様なハードウエア要素からなっており、５０はＣＰＵ，５１はメモリ、５２はキーボード、５３はマウス、５４はディスプレイ、５５はプリンタ、５６はＦＤＤやＭＯ，ＺＩＰなどのリムーバブルメモリ、５７はハードディスクＨＤＤ，５８はモデムなどのネットワークのための通信インタフェースである。これらのハードウエア要素は例示的なものに過ぎず、多くの変形が可能である。またメモリ５１内に示されている要素はプログラムとデータであり、５９はＯＳ、６０は建材一般の受発注処理を行なう多機能の受発注処理システムであり、図２で説明した窓枠受発注処理プログラム３０は、受発注処理システム６０内で窓枠の受発注処理を受け持っている機能部分である。またデータ４０は、図２におけるデータ４０と同じものであり、同様にしてその要素の４１ないし４６で示されるデータファイルも、図２中に示されている同一参照番号の要素と同じものである。図３において、窓枠受発注処理プログラム３０はＣＰＵ５０により実行され、通信インタフェース５８を介して接続される図２の専用端末２１との間で、対話形式によりデータ４０を用いて窓枠内装材の受発注処理を行なう。次に図２に戻り、窓枠受発注処理プログラム３０の処理の流れを説明する。
【００１６】
図２において、専用端末２１から、施工業者や営業担当者などの発注者が、受発注処理装置２３に対して窓枠内装材の発注処理要求を行なうと、窓枠受発注処理プログラム３０が呼び出され、以下の（１）ないし（８）で示す処理が順次実行される。
（１）まず窓枠形状確認処理３１は、窓枠内装材データファイル４１を参照して窓枠内装材の樹種と色データのリストを作成し、専用端末２１の画面に表示して、発注者に希望の樹種と色を選択させる。次に窓枠樹種と色データの表示例を示す。
2005004485.tif 000003
ここで発注者は、たとえば樹種は１（ソフトアート）、色データはコード０２（センターブラウン）を選択して応答する。詳細な説明は省略するが、窓枠形状確認処理３１は、上記した樹種や色データのほか、図４に例示した窓枠内装材の種類（断面形状）、図５に例示した枠納めの種類、枠タイプ（三方か、四方か）、窓枠の幅などについても、選択画面を表示して、窓枠仕様の細部について指定させる。
（２）次に、サッシメーカー・シリーズ選択処理３２は、サッシデータファイル４２を参照して、サッシメーカーとサッシ製品のシリーズのリストを作成し、専用端末２１の画面に表示して、発注者にサッシメーカーとシリーズを選択させ、さらにサイズとしての窓呼称およびサッシの個数を入力させる。次に入力例を示す。
2005004485.tif 000004
（３）次に、窓呼称入力処理３３は、サッシメーカー・シリーズ選択処理３２で入力された窓呼称のデータに基づいて、窓枠の縦、横のサイズを算出する。たとえば、窓呼称１８１８は、縦１８００ｍｍ×横１８００ｍｍのサイズに変換される。
（４）次に、内装材プレカット寸法計算処理３４は、（１）〜（３）で得られた窓枠とサッシの仕様やサイズに基づいて、図６で説明したように、窓枠に使用される内装材ごとに、長さ方向と幅方向のカット寸法、サッシを嵌め込む嵌合部のカット寸法などを計算し、結果のプレカット寸法データを内装材プレカット寸法データファイル４３に格納する。
（５）次に、窓枠価格計算処理３５は、内装材プレカット寸法データファイル４３から内装材ごとのプレカット寸法データを取り出し、プレカット済み内装材の材積を計算して内装材の単価を出す。この材積計算では、内装材の長さ方向と幅方向のプレカット寸法のみが用いられる。
【００１７】
たとえば、窓枠タイプが四方枠で使用される内装材は４本、窓枠サイズは縦１８００ｍｍ，横１８００ｍｍ、幅１１５ｍｍ、そして使用する内装材の厚さが３０ｍｍの場合の材積は、
（１８００×１１５×３０×４）÷１０００００００００＝０．０２４８（ｍ３）
となり、樹種別に設定されているｍ３単価が２０００００円であったとすると、１窓枠の価格は、
２０００００×０．０２４８＝４９６８（円）
となる。
（６）次に、見積作成処理３６は、窓枠の価格に窓枠数量を掛け合わせて見積価格を算出し、さらに在庫データファイル４４を参照して在庫の有無確認と納期の予測を行ない、それらにより見積データを作成して専用端末２１の画面に表示する。
（７）次に、受発注処理３７は、専用端末２１から見積データに基づく発注応答が返されてきたとき、受注確定処理を行ない、その見積データを受注データに置き換えて受注データファイル４５に格納し、また各窓枠のプレカット加工データを窓枠加工データファイル４６に格納する。受注データは受注番号で管理され、受注番号、発注者名、出荷日が見出しとなっている。
（８）次に、窓枠加工指示処理３８は、窓枠加工データファイル４６から、窓枠ごとに各内装材のプレカット加工データを取り出して、加工工場などへ加工を指示する。
【００１８】
なお、図２の実施例では、窓呼称データは発注者が専用端末２１から入力するものとされたが、建物設計ＣＡＤデータを利用できる場合は、ＣＡＤデータから直接取り込むようにすることが可能である。
【００１９】
【発明の効果】
本発明により、窓枠サイズが窓呼称データから簡単に得られるようになるため、現場での採寸や手計算が不要となり、結果として発注作業負担の軽減と発注ミスの減少、発注処理の早期化が可能となることにより、内装材の無駄の発生や、工数の削減、工期の短縮を図ることができる。
【図面の簡単な説明】
【図１】本発明による窓枠プレカット処理可能な受発注処理装置の概要構成図である。
【図２】本発明の１実施例による受発注処理装置の処理説明図である。
【図３】本発明の１実施例による受発注処理装置のハードウエア構成図である。
【図４】窓枠内装材の標準的な断面形状例を示す説明図である。
【図５】窓枠の代表的な枠納めの例を示す説明図である。
【図６】窓枠プレカット加工の例を示す説明図である。
【符号の説明】
１：発注元端末
２：ネットワーク
３：受発注処理装置
４：窓枠プレカット処理部
５：サッシ種別データ
６：窓枠仕様データ
７：窓呼称データ
８：サッシ規格データベース
９：窓枠内装材規格データベース
１０：サッシ規格選択処理部
１１：窓枠仕様・内装材規格選択処理部
１２：窓枠サイズ変換処理部
１３：窓枠内装材プレカット寸法計算処理部
１４：見積作成処理部
１５：受発注処理部
【図１】
2005004485.tif 000005
【図２】
2005004485.tif 000006
【図３】
2005004485.tif 000007
【図４】
2005004485.tif 000008
【図５】
2005004485.tif 000009
【図６】
2005004485.tif 000010